(57)【要約】【課題】構造の簡素化、コンパクト化が可能であり、かつ、簡単な作業で屋根用設置物を屋根の上に確実に固定できる取付具を提案する。【解決手段】屋根用設置物の取付具を、屋根板材の裏面に配置される底板片１と、この底板片１の一端に一体的につながり該屋根板材の端縁において立ち上がる起立片２と、この起立片２の上端に片持ち状態で一体的につながり該屋根板材を覆うとともにその上面を屋根用設置物の載置、連結部とする天板片３とを備え、該底板片１、起立片２及び天板片３によって区画された凹部Ｍを前記屋根板材の差し入れ空間とする取付具本体と、この取付具本体の天板片３にねじ込み可能に係合し該底板片１との相互間で屋根板材を挟持する押しボルト５と、前記凹部Ｍに配され、該押しボルト５と該屋根板材との相互間に位置して、該押しボルト５の先端部に直接接触する当て板６から構成する。【選択図】図１
2014034840.tif 000002
【特許請求の範囲】
【請求項１】
屋根用設置物を屋根板材に固定保持する取付具であって、
屋根板材の裏面に配置される底板片と、この底板片の一端に一体的につながり該屋根板材の端縁において立ち上がる起立片と、この起立片の上端に片持ち状態で一体的につながり該屋根板材を覆うとともにその上面を屋根用設置物の載置、連結部とする天板片とを備え、該底板片、起立片及び天板片によって区画された凹部を前記屋根板材の差し入れ空間とする取付具本体と、この取付具本体の天板片にねじ込み可能に係合し該底板片との相互間で屋根板材を挟持する押しボルトと、前記凹部に配され、該押しボルトと該屋根板材との相互間に位置して、該押しボルトの先端部に直接接触する当て板からなることを特徴とする屋根用設置物の取付具。
【請求項２】
前記当て板は、前記取付具本体の天板片、起立片及び底板片の内側面に沿って連続的に伸延し前記屋根板材の表裏において回り込む単一の湾曲片からなることを特徴とする請求項１に記載した屋根用設置物の取付具。
【請求項３】
前記当て板は、前記天板片の自由端に連係して該当て板を前記取付具本体に固定する連係爪部を有することを特徴とする請求項１または２に記載した屋根用設置物の取付具。
【請求項４】
前記天板片の自由端に、前記当て板の連係爪部に連係する切欠き部を設けたことを特徴とする請求項３に記載した屋根用設置物の取付具。
【発明の詳細な説明】
【技術分野】
【０００１】
本発明は、太陽電池パネル等の屋根用設置物を屋根板材に固定保持するための取付具に関するものである。
【背景技術】
【０００２】
太陽電池パネル等の屋根用設置物は、屋根板材に直接固定可能な取付具を介して固定するのが一般的であり、その構造としては、例えば、特許文献１に開示されているように、屋根板材の横設する接合用重合板部に対して上下から締付挟持固定する挟持部を備えると共に、屋根上設置物を取付し得る取付部を備えた取付用金具と、この取付用金具の挟持部の先端部に装着することで挟持部の挟持間隔を変更可能とした挟持部用補助具とによって構成されたものが知られている。
【先行技術文献】
【特許文献】
【０００３】
【特許文献１】特開２０１２−７４３６号公報
【０００４】
ところで、上記先行文献１に開示された取付具は、締付ボルトを挟持板部に脱落不能に取り付けた組み付け構造からなっており、その製作に際しては手間がかかり製造コストの上昇が避けられない。また、締付けボルトは、それに係合するナットを締め付けることによってその係止縁部で屋根板材に固定するものであり、該係止縁部を屋根板材の所望箇所に位置させるには、下側挟持板部、上側挟持板部の寸法を長くせざるを得ず、取付具をコンパクト化するにも限界があるものであった。
【発明の概要】
【発明が解決しようとする課題】
【０００５】
本発明の課題は、簡素化された構造であり、かつ、コンパクトなサイズでもって屋根用設置物を屋根板材に確実に固定保持できる取付具を提案するところにある。
【課題を解決するための手段】
【０００６】
本発明は、屋根用設置物を屋根板材に固定保持する取付具であって、屋根板材の裏面に配置される底板片と、この底板片の一端に一体的につながり該屋根板材の端縁において立ち上がる起立片と、この起立片の上端に片持ち状態で一体的につながり該屋根板材を覆うとともにその上面を屋根用設置物の載置、連結部とする天板片とを備え、該底板片、起立片及び天板片によって区画された凹部を屋根板材の差し入れ空間とする取付具本体と、この取付具本体の天板片にねじ込み可能に係合し該底板片との相互間で屋根板材を挟持する押しボルトと、この押しボルトと該屋根板材との相互間に位置して、該押しボルトの先端部に直接接触する当て板からなることを特徴とする屋根用設置物の取付具である。
【０００７】
上記の構成からなる屋根用設置物の取付具において、当て板は、前記取付具本体の天板片、起立片及び底板片の内側面に沿って連続的に伸延し前記凹部に差し入れられた屋根板材の表裏において回り込む単一の湾曲片からなるものであること、また、当て板は、前記天板片の自由端に連係して該当て板を前記取付具本体の凹部において固定する連係爪部を有するものであること、さらに、天板片の自由端には、当て板の連係爪部に連係する切欠き部を設けること、が本発明の課題解決のための具体的手段として好ましい。
【発明の効果】
【０００８】
本発明の取付具によれば、取付具本体を、屋根板材の裏面に配置される底板片と、この底板片の一端に一体的につながり該屋根板材の端縁において立ち上がる起立片と、この起立片の上端に片持ち状態で一体的につながり該屋根板材を覆うとともにその上面を屋根用設置物の載置、連結部とする天板片とによって構成して屋根板材の縁部を差し入れる凹部を形成するとともに、この取付具本体の天板片にねじ込み可能に係合し該底板片との相互間で屋根板材を挟持する押しボルトと、この押しボルトと該屋根板材との相互間に位置し、該押しボルトの先端部に直接接触する当て板とを設けるようにしたため、取付具の構造の簡素化、サイズのコンパクト化が可能となる。また、押しボルトのねじ込みに際して、該押しボルトは、当て板に接触するため、屋根板材に擦り傷がついて耐食性を劣化させることはない。
【０００９】
また、本発明の屋根用設置物の取付具によれば、当て板は、前記天板片、起立片及び底板片の内側面に沿って連続的に伸延し屋根板材の表裏において回り込む単一の湾曲片にて構成したため、取付具本体への組み付けが簡単であり、該当て板を、屋根板材と押しボルトとの間に確実に配置することができる。
【００１０】
上記の構成からなる本発明の屋根用設置物の取付具によれば、当て板は、前記天板片の自由端に連係して該当て板自体を凹部において固定する連係爪部を有するものとしたため、当て板の、取付具本体に対する組み付けが確実になる。
【００１１】
さらに、本発明の屋根用設置物の取付具によれば、天板片の自由端に、当て板の連係爪部に連係する切欠き部を設けたため、当て板の取付具本体に対する正確な位置決めが可能となる。
【図面の簡単な説明】
【００１２】
【図１】本発明に従う屋根用設置物の取付具の実施の形態を分解状態で模式的に示した外観斜視図である。
【図２】（ａ）〜（ｃ）は、図１に示した取付具の正面、側面、平面をそれぞれ示した図である。
【図３】（ａ）〜（ｃ）は、本発明に従う取付具を用いて屋根用設置物を屋根板材に固定する場合の固定要領を示した図である。
【図４】本発明に従う取付具を用いて一文字葺き屋根に太陽電池モジュールの取付レールを固定する状態を示した図である。
【図５】本発明に従う取付具を用いて横葺き屋根に太陽電池モジュールの取付レールを固定する状態を示した図である。
【図６】本発明に従う取付具の他の実施の形態を示した図である。
【図７】本発明に従う取付具のさらに他の実施の形態を示した図である。
【発明を実施するための形態】
【００１３】
以下、図面を参照して、本発明をより具体的に説明する。
図１は、本発明に従う屋根用設置物の取付具（金属製）の実施の形態を分解状態で模式的に示した外観斜視図である。また、図２（ａ）〜（ｃ）は、図１に示した取付具の正面、側面、平面をそれぞれ示した図である。
【００１４】
図における符号１は、屋根板材同士がつながっている接続部位で屋根板材の裏面に差し込まれる底板片、２は、底板片の一端に一体的につながり屋根板材の端縁において立ち上がる起立片、３は起立片２の上端に片持ち状態で一体的につながり、該屋根板材を覆うとともにその上面を屋根用設置物の載置、連結部とする天板片である。この底板片１、起立片２及び天板片３によって取付具本体が構成される。
【００１５】
取付具本体は、比較的厚みのある単一の板をＪの字状に湾曲させることによって形成されるものであり、図２（ａ）〜（ｃ）に示す如く、底板片１の寸法Ｌは、天板片３よりＬ１よりも短くなるように設定されており、その内側には、屋根板材（縁部）を差し入れるための空間として凹部Ｍが形成されている。
【００１６】
また、４は、天板片３のほぼ中央部に設けられ、ねじ部が形成された貫通孔、５は、この貫通孔４にねじ込み可能に係合し底板片１との相互間で屋根板材を挟持する押しボルトである。貫通孔４は、天板片３の裏側において膨出加工を施し、得られた膨出部３ａについてタップ加工を施すことにより形成される。なお、天板片３の厚さが厚く、そのままでタップ加工を施すことができるものであれば膨出部３ａの形成は省略される。
【００１７】
また、６は、取付具本体の凹部Ｍ内に配置される当て板である。この当て板６は、取付具本体の天板片３、起立片２及び底板片１の内側面に沿って連続的に伸延し、凹部Ｍに差し入れられた屋根板材の表裏において回り込む形状を有する単一の湾曲片が適用され、その上面部は、押しボルト５と屋根板材との相互間に位置して該押しボルト５の先端部に直接接触するようになっている。
【００１８】
当て板６については、取付具本体と同様に、Ｊの字状に湾曲させた湾曲片を適用したものを示したが、凹部Ｍにおいて位置ずれを起こすことがなく、かつ、屋根板材の上面に確実に位置するものであれば、屈曲片を適用することも可能であり、その形状についてはとくに限定されることはない。
【００１９】
上記の構成からなる取付具を用いて屋根用設置物を屋根板材に固定するには、図３（ａ）〜（ｃ）に示すように、屋根板材７、８同士が接続している接続部位（下ハゼ７ａと上ハゼ８ａが嵌合している部位）につき、取付具本体の底板片１を、屋根板材の裏面に差し込んだのち、屋根用設置物（例えば、太陽電池パネルのモジュールを配置、支持する取付レール等）９を取付具本体の天板片３の上面に載置し該ベース部材を通して押しボルト５をねじ孔４にねじ込んで該押しボルト５の先端部を屋根板材７、８に食い込ませるようにすればよく、これにより、屋根用設置物は、取付具を介して屋根板材に強固に固定されることになる。
【００２０】
押しボルト５の先端部を屋根板材７、８に食い込ませるとき、屋根板材７、８には局所的に凹部が形成されることになるが、押しボルト５と屋根板材７、８との間には、当て板６が介在しているため、押しボルト５を締め込んでも屋根板材の外表面に擦り傷が生じることはなく、それによる屋根板材へのダメージを回避することができる。
【００２１】
なお、屋根用設置物を屋根板材に固定するに当たっては、取付具本体と、屋根用設置物９とを押しボルト５を介して予め連結しておき、その状態で、取付具本体の底板片１を屋根板材の裏面に差し入れて押しボルト５を締め込むことにより取付具を屋根板材に固定してもよく、取付手順についてはとくに限定されない。
【００２２】
図４は、本発明に従う取付具を複数用いて一文字葺き屋根に屋根用設置物のベース部材（溝型断面をなす取付レール）９を棟〜軒方向に向けて固定する例を示したもの（取付具は、屋根板材の接合部に形成された区画凹所Ｎにおいて固定）であり、図５は、本発明に従う取付具を複数用いて横葺き屋根に屋根用設置物９を棟〜軒方向に向けて固定する例を示した図である。
【００２３】
なお、図５において符号１０は、太陽電池モジュール、１１は取付レール９に連結する連結具、１２は、太陽電池モジュール１０を支持し、連結具１１を介して太陽電池モジュール１０を取り付けレール９に連結するフレームである。連結具１１を構成するナットは、挟持板の下面に予め固定しておくこともできる。
【００２４】
上掲図４、図５に示すように、屋根板材の葺きあげタイプの違いにより、屋根板材の接続部位は、その向きが変わるが、本発明に従う取付具は、屋根板材の接続部位の違いに応じてその向きを適宜変更して、底板片１を屋根板材の裏面に差し入れればよく、屋根板材の葺きあげタイプが相違してもその取付要領に何ら変わるところがない。
【００２５】
本発明に従う取付具は、図６に示すように、当て板６の上端縁部に、天板片３の自由端３ａに連係する連係爪部６ａを設けておくことが可能であり、これにより該当て板６の取付具本体に対する固定強度を高めるこができる。この連係爪部６ａは、当て板６の端部に曲げ加工を施すことによって形成される。
【００２６】
また、本発明に従う取付具においては、取付具本体の天板片３の自由端３ａに、図７に示すように、上記連係爪部６ａの幅寸法と同等の幅を有し、該連係爪部６ａに連係可能な切欠き部３ｂを設けておくことができる。
【００２７】
かかる切欠き部３ｂを設けておくことにより、当て板６を取付具本体に組み付ける際に、正確な位置決めが可能となる。
【産業上の利用可能性】
【００２８】
本発明によれば、構造の簡素化、コンパクト化が可能であり、簡単な作業で屋根用設置物を屋根板材に確実に固定し得る取付具が提供できる。
【符号の説明】
【００２９】
１      底板片
２      起立片
３      天板片
４      貫通孔
５      押しボルト
６      当て板
７      屋根板材
８      屋根板材
９      屋根用設置物
１０    太陽電池モジュール
１１    フレーム
１２    連結具
Ｍ      凹部
【図１】
2014034840.tif 000003
【図２】
2014034840.tif 000004
【図３】
2014034840.tif 000005
【図４】
2014034840.tif 000006
【図５】
2014034840.tif 000007
【図６】
2014034840.tif 000008
【図７】
2014034840.tif 000009